(57)【要約】【課題】  電話を掛けたり、メールを送信するにあたって、相手側に電話番号やメールアドレスを知らせずに、該通話、通信を可能とするシステムを得る。【解決手段】  情報処理システムは、撮像機能、通信機能、通話機能を備えた情報処理装置１と、予め人物画像、電話番号、メールアドレス等が関連付けされて登録されている照会センター２０とからなる。そして、情報処理装置は、選択した撮影画像を照会センターに送信する手段を備える。さらに、照会センターは、該送信画像が登録画像に一致したときにのみ、情報処理装置と登録先との通話回線を接続する手段を備える。【選択図】      図１
2007096857.tif 000002
【特許請求の範囲】
【請求項１】
撮像機能、通信機能、通話機能を備えた情報処理装置と、予め人物画像、電話番号、メールアドレス等が関連付けされて登録されている照会センターとからなる情報処理システムにおいて、
情報処理装置は、選択した撮影画像を照会センターに送信する手段を備え、
照会センターは、該送信画像が登録画像に一致したときにのみ、情報処理装置と登録先との通話回線を接続する手段を備えていることを特徴とする情報処理システム。
【請求項２】
請求項１記載の情報処理システムにおいて、
照会センターは、登録情報を登録しておく時間を設定可能であり、該時間経過後に登録情報を削除する手段を備えていることを特徴とする情報処理システム。
【請求項３】
請求項１または請求項２記載の情報処理システムにおいて、
登録者は、照会センターの登録情報を任意に差し替え可能に構成されていることを特徴とする情報処理システム。
【請求項４】
撮像機能、通信機能、通話機能を備えた情報処理装置と、予め人物画像、電話番号、メールアドレス等が関連付けされて登録されている照会センターとからなる情報処理システムにおいて、
情報処理装置から、選択した撮影画像が照会センターに送信され、該送信画像が、照会センターでの登録画像に一致したときにのみ、情報処理装置と登録画像の登録先との通信回線を接続することを特徴とする情報処理装置。
【請求項５】
請求項４記載の情報処理方法において、
登録者が、登録情報を照会センターに登録しておく時間を設定することにより、照会センターでは、該時間経過後に登録情報を削除することを特徴とする情報処理方法。
【請求項６】
請求項４または請求項５記載の情報処理方法において、
登録者は、照会センターの登録情報を、必要に応じて差し替えることを特徴とする情報処理方法。
【発明の詳細な説明】
【技術分野】
【０００１】
本発明は、たとえば携帯電話機のように撮像機能、通信機能、通話機能を備えた情報処理装置と、予め人物画像、電話番号、メールアドレス等が関連付けされて登録されている照会センターとからなる情報処理システムおよびこれを用いた情報処理方法に関する。
【背景技術】
【０００２】
近年、携帯電話機等のような情報処理端末が普及の一途を辿っており、さらに最近では撮像機能やメール送信、インターネット接続等の通信機能を装備する等といった多機能化も著しい。
【０００３】
ところで、上述したように撮像機能を備えてなる携帯電話機において、撮影画像を利用して電話番号、インターネットアドレス等といった情報を関連付けして記憶しておき、該撮影画像を選択することで、携帯電話機による通話やメール送信等の通信時の操作を支援し、操作性を向上させてなる携帯端末装置が提案されている（例えば、特許文献１参照）。
【０００４】
また、これと同様に、携帯電話機等において、撮影画像に通話先の名前や電話番号を関連付けし、該画像を呼び出すことで通話先の名前や電話番号の確認を行え、所望の通話先への通話を行えるように構成した携帯電話装置も提案されている（例えば、特許文献２参照）。
【０００５】
【特許文献１】特開２００２−１５２６９６
【特許文献２】特開２０００−２４４６７３
【発明の開示】
【発明が解決しようとする課題】
【０００６】
上述した特許文献１，２に示される装置では、携帯電話機等の情報処理装置に電話番号やメールアドレスを記憶しておき、これを利用して通信先と通話、通信することが必要となる。
【０００７】
しかし、このように電話番号やメールアドレスを携帯電話機等に記憶しておくと、該携帯電話機を紛失したりしたときに、個人情報等の流出問題が生じる。
また、通信先の事情によっては、相手側に電話番号やメールアドレスを知らせたくないという要請もある。
【０００８】
本発明はこのような事情に鑑みてなされたものであり、電話を掛けたりメールを送信したりする通話、通信時にあたって、相手側に電話番号やメールアドレスを知らせずに、通信元と通信先との通話、通信を可能とする情報処理システムおよび情報処理方法を得ることを目的とする。
【課題を解決するための手段】
【０００９】
このような目的に応えるために本発明（請求項１記載の発明）に係る情報処理システムは、撮像機能、通信機能、通話機能を備えた情報処理装置と、予め人物画像、電話番号、メールアドレス等が関連付けされて登録されている照会センターとからなる情報処理システムにおいて、情報処理装置は、選択した撮影画像を照会センターに送信する手段を備え、照会センターは、該送信画像が登録画像に一致したときにのみ、情報処理装置と登録先との通話回線を接続する手段を備えていることを特徴とする。
【００１０】
本発明（請求項２記載の発明）に係る情報処理システムは、請求項１記載の情報処理システムにおいて、照会センターは、登録情報を登録しておく時間を設定可能であり、該時間経過後に登録情報を削除する手段を備えていることを特徴とする。
【００１１】
本発明（請求項３記載の発明）に係る情報処理システムは、請求項１または請求項２記載の情報処理システムにおいて、登録者は、照会センターの登録情報を任意に差し替え可能に構成されていることを特徴とする。
【００１２】
本発明（請求項４記載の発明）に係る情報処理方法は、撮像機能、通信機能、通話機能を備えた情報処理装置と、予め人物画像、電話番号、メールアドレス等が関連付けされて登録されている照会センターとからなる情報処理システムにおいて、情報処理装置から、選択した撮影画像が照会センターに送信され、該送信画像が、照会センターでの登録画像に一致したときにのみ、情報処理装置と登録画像の登録先との通信回線を接続することを特徴とする。
【００１３】
本発明（請求項５記載の発明）に係る情報処理方法は、請求項４記載の情報処理方法において、登録者が、登録情報を照会センターに登録しておく時間を設定することにより、照会センターでは、該時間経過後に登録情報を削除することを特徴とする。
【００１４】
本発明（請求項６記載の発明）に係る情報処理方法は、請求項４または請求項５記載の情報処理方法において、登録者は、照会センターの登録情報を、必要に応じて差し替えることを特徴とする。
【００１５】
本発明によれば、携帯電話機内部には、撮影した人物画像や通信先の氏名等の情報のみが記憶され、該通信先の電話番号やメールアドレスは記憶されていない。そして、撮影した人物画像に対応する通信先に対して、電話を掛けたりメールを送信したい場合には、画像の横に表示されている電話アイコンやメールアイコンを選択して操作する。すると、通話またはメール送信が可能となるのである。
【００１６】
たとえば電話アイコンが選択されて操作された場合には、人物画像等の情報が照会センター側に送信され、この照会センターにおいて予め登録された画像等の登録情報との照会が行われる。そして、この登録画像が送信されてきた画像と一致すると、照会センターに登録された画像対象者の電話番号に電話が掛けられ、相手側との通話が可能となる。画像が一致しない場合には、当該画像なしと判断され、電話はつながらず、メッセージ等のデータが発信者に返信される。
これは、メールアイコンが操作されたときも、ほぼ同様である。
【００１７】
また、本発明によれば、画像登録者は、照会センターに、時間を指定して画像を登録することができる。このようにすれば、指定した時間内においては、画像保有者はその画像をもとに相手側との連絡を取れるが、指定時間を過ぎると画像がセンターから自動的に消去されるため、連絡が不可能となるのである。
【００１８】
さらに、本発明によれば、画像登録者は、予め照会センターに複数の画像を登録し、そのうちの任意の画像を差し替えたり消去したりすることができる。このようにすれば、画像の選定によって特定の相手からの連絡のみを停止したりすることができるのである。
【発明の効果】
【００１９】
以上説明したように本発明に係る情報処理システムおよび情報処理方法によれば、撮影した人物画像に電話番号やメールアドレスを関連付けして照会センターに登録しておくことにより、該人物画像を選択し電話アイコンやメールアイコンを操作するだけで、通話やメール送信が可能となる。したがって、このような本発明によれば、撮影画像以外の個人情報を知らせずに、通信元と通信先との連絡が可能であり、個人情報の流出問題を未然に防止し得るという優れた効果がある。
【００２０】
また、本発明によれば、所定の指定時間が経過したら画像等の登録を消去するように構成することにより、一定期間経過後の連絡を無効にすることができる。
さらに、本発明によれば、画像登録者は、予め照会センターに複数の画像を登録し、そのうちの任意の画像を差し替えたり消去したりすることができるようにすることにより、画像の選定によって、特定の相手からの連絡のみを停止したり、再開したりすることができる。
【発明を実施するための最良の形態】
【００２１】
図１ないし図３は本発明に係る情報処理システムおよび情報処理方法の一実施形態を示す。ここで、この実施形態では、この種の情報処理装置が、撮像機能、通信機能を備えた携帯電話機１である場合を説明する。
【００２２】
これらの図において、携帯電話機１の内部回路は、概略図３に示すように構成されている。
すなわち、この種の携帯電話機１は、画像をデジタル的に撮影する撮影手段としてのＣＣＤ２を備え、ここで撮像された撮影画像は、ＣＣＤ制御回路３を介して制御手段としてのＣＰＵ４に送られるように構成されている。５は図示しない撮影レンズを駆動制御するレンズ制御回路であり、ＣＰＵ４により制御されることにより、所要の撮影画像が得られるようになっている。
【００２３】
６は記憶手段としてのＤＲＡＭ、７は外部記憶装置であり、前記ＣＣＤ２で撮影された撮影画像は、これらのＤＲＡＭ６や外部記憶装置７に順次記憶されるように構成されている。
【００２４】
１０は表示手段としてのＬＣＤであり、液晶駆動回路１１により駆動制御されることにより、携帯電話機１としての必要な表示内容の表示は勿論、前記撮影画像、記憶した撮影画像を表示するように構成されている。１２は外部出力部、１３は表示バッファであり、ＬＣＤ１０への表示内容を外部出力したり、表示内容を一時的に記憶したりする。
【００２５】
１４はＩ／Ｏポート、１５は通信制御回路であり、通信手段として外部との通信を行うところである。そして、携帯電話機１は、この通信手段により携帯通信電話網に接続されて適宜の電話通信を行ったり、インターネットにより適宜のデータを送受信することができるようになっている。
【００２６】
本発明によれば、上述した構成による情報処理システムにおいて、撮像機能、通信、通話機能を備えた情報処理装置である携帯電話機１と、予め人物画像、電話番号、メールアドレス等が関連付けされて登録されている照会センター２０とからなる情報処理システムにおいて、携帯電話機１は、選択した人物写真等の撮影画像を照会センター２０に送信する手段を備え、照会センター２０は、該送信画像が、登録者が予め登録した人物写真等の登録画像に一致したときにのみ、携帯電話機１と登録先の端末（たとえば携帯電話機）との通話回線を接続する手段を備えていることを特徴とする。
【００２７】
すなわち、本発明によれば、通信元から通信先に電話を掛けたりメールを送信したりする通話、通信時にあたって、通信元に電話番号やメールアドレスを知らせずに、撮影した人物画像を認証手段として用いて、通話、通信を可能とするものである。
【００２８】
これを詳述すると、本発明によれば、通信元である携帯電話機１内部には、撮影した人物画像や通信先の氏名等の情報のみが記憶され、該通信先の電話番号やメールアドレスは記憶されていない。通信先の電話番号やメールアドレス等の情報は、上述した画像と関連付けられた状態で、照会センター２０に登録されている。
【００２９】
そして、通信元の携帯電話機１において、撮影した人物画像に対応する通信先に対して、電話を掛けたりメールを送信したい場合には、図１の（ａ）に示すように、画像の横に表示されている電話アイコンやメールアイコンを選択して操作する。ここでは、電話アイコンが操作されたとする。すると、図１の（ｂ）に示すように、当該画像が照会センター２０に送信され、その画像が登録されている画像と対比され、画像が一致すれば、図１の（ｃ）に示すように、通話（またはメール送信）が可能となるのである。不一致であれば、図１の（ｄ）に示すように、電話をつなげない。このとき、メッセージ等のデータを通信元に返信するようにするとよい。
【００３０】
このような情報処理システムの流れを、図２を用いて以下に詳述する。
すなわち、ユーザーが画像検索操作ａを行うと、携帯電話機１側では、Ｓ１０１でこれを検知し、Ｓ１０２に進んで予め設定した検索画像の表示処理が行われる。すなわち、図１の（ａ），（ｂ）で示すように、携帯電話機１の表示部（ＬＣＤ１０）に当該画像が表示される。
【００３１】
この状態において、ユーザーがメールボタンまたは電話アイコンを操作する（図２中ｂ）と、Ｓ１０３でこれを検知し、Ｓ１０４に進んで画像データもしくは画像添付データを照会センターへ送信処理する。すなわち、図１（ｂ）で示すように、携帯電話機１から照会センターへ所要のデータが送信され、この照会センターでは予め登録された画像であるか否かが判断され、そのデータ照会結果が、携帯電話機１に送信される。
【００３２】
Ｓ１０５では、このデータ照会結果を受信し、Ｓ１０６で一致したか否かが判断され、一致したときには、Ｓ１０７でダイヤルまたはメール送信の待機状態となる。そして、ユーザーが発信確定操作ｃを行うと、Ｓ１０８でこれを検知し、Ｓ１０９でダイヤルまたはメール送信処理を行う。この状態を、図１（ｃ）に示す。
【００３３】
Ｓ１０６で不一致であると判定されると、Ｓ１１０に進んで画像が不一致である旨、接続できない旨等のメッセージ表示が行われる。この状態を、図１（ｄ）に示す。
【００３４】
したがって、このような構成による情報処理システムによれば、撮影した人物画像に電話番号やメールアドレスを関連付けして照会センターに登録しておくことにより、該人物画像を選択し電話アイコンやメールアイコンを操作するだけで、通話やメール送信が可能となる。すなわち、照会センター２０において、通信元の携帯電話機１から送られてきた画像に基づいて個人認証を行うことで、通信元に撮影画像以外の個人情報を知らせずに、通信元と通信先との連絡が可能であり、個人情報の流出問題を未然に防止し得るのである。
【００３５】
図４および図５は本発明の別の実施形態を示す。
ここで、この実施形態において、前述した図１、図２と同一または相当する部分には同一符号を付して詳細な説明は省略する。
さて、この実施形態においては、照会センター２０は、登録情報を登録しておく時間を設定可能であり、該時間経過後に登録情報を削除する手段を備えていることを特徴とする。
【００３６】
すなわち、この実施形態では、画像登録者は、照会センター２０に、所定の時間を指定して画像を登録することができる。
このようにすれば、指定した時間内においては、画像保有者はその画像をもとに相手側との連絡を取れるが、指定時間を過ぎると画像がセンターから自動的に消去されるため、連絡が不可能となるのである。この状態が、図４における（ｃ）と（ｄ）に示す状態である。
【００３７】
また、図５では、図２での画像が一致するか否かの判定を行うＳ１０６が、一致する画像があるか否かの判断を行うＳ１２０に置き換えられることになる。
そして、このＳ１２０で一致画像があると判断されたときは、Ｓ１０７に進み、一致画像がないときは、Ｓ１１０に進むことになる。
【００３８】
したがって、このような実施形態では、所定の指定時間が経過したら画像等の登録を消去するように構成することにより、登録者は、一定期間経過後の連絡を無効にすることができるから、利便性は大きい。
【００３９】
図６および図７は本発明の他の実施形態を示す。
ここで、この実施形態において、前述した図１、図２や図４、図５と同一または相当する部分には同一符号を付して詳細な説明は省略する。
さて、この実施形態においては、画像登録者は、照会センター２０の登録情報を任意に差し替え可能に構成されていることを特徴とする。
【００４０】
すなわち、この実施形態においては、画像登録者は、予め照会センター２０に複数の画像を登録し、そのうちの任意の画像を差し替えたり消去したりすることができるのである。
このようにすれば、画像の選定によって特定の相手からの連絡のみを停止したり、再開したりすることができるのである。この状態が、図６における（ｃ）と（ｄ）に示す状態である。
【００４１】
また、図７では、図２での画像が一致するか否かの判定を行うＳ１０６、図５での一致する画像があるか否かの判断を行うＳ１２０を、画像データが一致するか否かの判断を行うＳ１３０に置き換えられている。
そして、このＳ１３０で画像データが一致すると判断されたときは、Ｓ１０７に進み、画像が入れ替えられて不一致であるときは、Ｓ１１０に進むことになる。
【００４２】
したがって、このような実施形態では、画像登録者は、予め照会センター２０に複数の画像を登録し、そのうちの任意の画像を差し替えたり消去したりすることができるようにすることにより、画像の選定によって、特定の相手からの連絡のみを停止したり、再開したりすることができるのである。
【００４３】
なお、本発明は上述した実施の形態で説明した構造には限定されず、各部の形状、構造等を適宜変形、変更し得ることはいうまでもない。
たとえば上述した実施形態では、情報処理装置が携帯電話機１である場合を説明したが、本発明はこれに限定されない。また、通信元から送信する画像や照会センターでの登録画像としても、人物写真等の画像に限らず、通信先を特定できるような適宜の画像でよい。
【図面の簡単な説明】
【００４４】
【図１】本発明に係る情報処理システムの一実施形態を示す概略説明図である。
【図２】図１の情報処理システムによる情報処理方法を説明するためのフローチャートである。
【図３】本発明に係る情報処理システムに用いる情報処理装置である携帯電話機の概略構成図である。
【図４】本発明に係る情報処理システムの別の実施形態を示す概略説明図である。
【図５】図４の情報処理システムの情報処理方法を説明するためのフローチャートである。
【図６】本発明に係る情報処理システムの他の実施形態を示す概略説明図である。
【図７】図６の情報処理システムの情報処理方法を説明するためのフローチャートである。
【符号の説明】
【００４５】
１  携帯電話機（情報処理装置）
２  ＣＣＤ（撮影手段）
４  ＣＰＵ（制御手段）
６  ＤＲＡＭ（記憶手段）
１０  ＬＣＤ（表示手段）
１４  Ｉ／Ｏポート（通信手段）
２０  照会センター
【図１】
2007096857.tif 000003
【図２】
2007096857.tif 000004
【図３】
2007096857.tif 000005
【図４】
2007096857.tif 000006
【図５】
2007096857.tif 000007
【図６】
2007096857.tif 000008
【図７】
2007096857.tif 000009